(57)【要約】【課題】他の信号との干渉による無線容量の低下を抑える。【解決手段】移動端末に対するコンプレストモード起動のトリガーが検出された際に、カウンタ１１２にてカウントされた起動中のコンプレストモード数と記憶部１１３に予め設定された起動閾値とが比較部１１１にて比較され、起動中のコンプレストモード数が起動閾値よりも小さな場合のみ、起動制御部１１４によって通信部１１０を介して当該移動端末に対してコンプレストモードを起動する。【選択図】図２
2008098848.tif 000002
【特許請求の範囲】
【請求項１】
ハードオーバーが可能な移動体通信システムであって、
移動端末に対するコンプレストモード起動のトリガーを検出した際に、起動中のコンプレストモード数と予め設定された起動閾値とを比較し、前記起動中のコンプレストモード数が前記起動閾値よりも小さな場合、当該移動端末に対してコンプレストモードを起動する無線基地局制御装置と、
前記無線基地局制御装置に接続され、無線電波で通信可能なセルを構成して前記移動端末と通信を行う無線基地局とを有する移動体通信システム。
【請求項２】
請求項１に記載の移動体通信システムにおいて、
前記無線基地局制御装置は、前記移動端末のコンプレストモード起動のトリガーを検出した際に、前記起動中のコンプレストモード数が前記起動閾値以上である場合、コンプレストモード起動中の移動端末のうち当該移動端末における電波状況に基づく優先度よりも低い優先度の移動端末が存在するとき、前記低い優先度の移動端末のうち最も低い優先度の移動端末に対してコンプレストモードを停止することを特徴とする移動体通信システム。
【請求項３】
請求項２に記載の移動体通信システムにおいて、
前記無線基地局制御装置は、前記コンプレストモードを停止した移動端末に対して、ハンドオーバーさせることを特徴とする移動体通信システム。
【請求項４】
移動体通信システムにおける移動端末に対してコンプレストモードを起動する無線基地局制御装置であって、
前記移動端末に対するコンプレストモード起動のトリガーを検出した際に、起動中のコンプレストモード数と予め設定された起動閾値とを比較し、前記起動中のコンプレストモード数が前記起動閾値よりも小さな場合、当該移動端末に対してコンプレストモードを起動する無線基地局制御装置。
【請求項５】
請求項４に記載の無線基地局制御装置において、
前記移動端末のコンプレストモード起動のトリガーを検出した際に、前記起動中のコンプレストモード数が前記起動閾値以上である場合、コンプレストモード起動中の移動端末のうち当該移動端末の電波状況に基づく優先度よりも低い優先度の移動端末が存在するとき、前記低い優先度の移動端末のうち最も低い優先度の移動端末に対してコンプレストモードを停止することを特徴とする無線基地局制御装置。
【請求項６】
請求項５に記載の無線基地局制御装置において、
前記コンプレストモードを停止した移動端末に対して、ハンドオーバーさせることを特徴とする無線基地局制御装置。
【請求項７】
移動体通信システムにおける移動端末に対してコンプレストモードを起動するコンプレストモード起動方法であって、
前記移動端末に対するコンプレストモード起動のトリガーを検出した際に、起動中のコンプレストモード数と予め設定された起動閾値とを比較する処理と、
前記起動中のコンプレストモード数が前記起動閾値よりも小さな場合、当該移動端末に対してコンプレストモードを起動する処理とを有するコンプレストモード起動方法。
【請求項８】
請求項７に記載のコンプレストモード起動方法において、
前記移動端末のコンプレストモード起動のトリガーを検出した際に、前記起動中のコンプレストモード数が前記起動閾値以上である場合、コンプレストモード起動中の移動端末のうち当該移動端末の電波状況に基づく優先度よりも低い優先度の移動端末が存在するとき、前記低い優先度の移動端末のうち最も低い優先度の移動端末に対してコンプレストモードを停止する処理を有するコンプレストモード起動方法。
【請求項９】
請求項８に記載のコンプレストモード起動方法において、
前記コンプレストモードを停止した移動端末に対して、ハンドオーバーさせる処理を有することを特徴とするコンプレストモード起動方法。
【発明の詳細な説明】
【技術分野】
【０００１】
本発明は、異周波数間ハンドオーバーまたは異システム間ハンドオーバーが可能な移動体通信システム、無線基地局制御装置及びコンプレストモード起動方法に関する。
【背景技術】
【０００２】
移動可能な携帯端末等を用いて通信を行うために構築された移動体通信システムにおいて、当該移動端末が接続されている無線基地局から他の無線基地局へ接続先を変更する際に、ハンドオーバーの技術が用いられている。
【０００３】
このとき、変更前の接続先と変更後の接続先とに対しての接続には、互いに異なる周波数帯域を使用することになるが、伝搬状況の良い周波数帯域が選択されることが望ましい。そのため、各周波数帯域の伝搬状況の測定が必要とされるわけだが、それぞれの周波数帯域のおける伝搬状況を測定するには、パイロット信号を用いたコンプレストモード（Compressed Mode）といった技術が用いられている（例えば、特許文献１参照。）。
【０００４】
このコンプレストモードは、例えば、ＵＭＴＳ（Universal Mobile Telecommunications System）網の無線基地局から他のＵＭＴＳ網やＧＳＭ（Global System for Mobile Communications）網などの無線基地局へのハンドオーバーを実現するために用いられる技術である。移動端末にて情報を定期的に圧縮して送信することにより、データ送信を行わない送信ギャップ（空き時間）を作り出し、そのギャップの間にて受信周波数を切り替えて異なる他の周波数帯域の伝搬状況をパイロット信号を用いて測定するものである。コンプレストモードの起動については、無線基地局制御装置が必要に応じて無線基地局及び移動端末に対して行うものである。
【０００５】
図１１は、従来の移動体通信システムの形態の一例を示す図である。
【０００６】
図１１に示した移動体通信システムは、ＵＭＴＳ網１００１と、ＵＭＴＳ網１００１とは別のネットワークであるＧＳＭ網１００２とから構成されており、無線基地局１００３がＵＭＴＳ網１００１をカバーしており、また無線基地局１００４がＧＳＭ網１００２をカバーしている。また、移動端末１００５が、ＵＭＴＳ網１００１からＧＳＭ網１００２へ移動している。その際に、無線基地局１００４から移動端末１００５へパイロット信号１００６が送信されている。
【０００７】
このとき、移動端末１００５がＵＭＴＳ網１００１からＧＳＭ網１００２へ移動することにより、移動端末１００５におけるコンプレストモードが無線基地局制御装置（不図示）によって起動され、無線基地局１００４から送信されたパイロット信号１００６を用いて移動端末１００５にて伝搬状況が測定されることとなる。
【０００８】
なお、コンプレストモードを使用せずに異なる周波数帯域のおける伝搬状況を測定することが可能な移動端末も存在するが、それについては本発明の対象外である。
【特許文献１】特開２００３−０７８９３６号公報
【発明の開示】
【発明が解決しようとする課題】
【０００９】
しかしながら、無線基地局制御装置がコンプレストモードを上限無く起動することにより、多くの移動端末にてコンプレストモードが起動されてしまった場合、他の移動端末にて送受信される信号との干渉が増加してしまうという問題点がある。
【００１０】
また、送信すべき情報の圧縮送信による品質劣化を防ぐために一時的に高い送信電力を用いて当該情報を送信するため、多くの移動端末、または多くのリンクにてコンプレストモードが起動された場合、他の移動端末、または他のリンクにて送受信される信号との干渉量が増加し、無線容量が低下してしまうという問題点がある。
【００１１】
本発明は、上述したような従来の技術が有する問題点に鑑みてなされたものであって、他の信号との干渉による無線容量の低下を抑えることができる移動体通信システム、無線基地局制御装置及びコンプレストモード起動方法を提供することを目的とする。
【課題を解決するための手段】
【００１２】
上記目的を達成するために本発明は、
ハードオーバーが可能な移動体通信システムであって、
移動端末に対するコンプレストモード起動のトリガーを検出した際に、起動中のコンプレストモード数と予め設定された起動閾値とを比較し、前記起動中のコンプレストモード数が前記起動閾値よりも小さな場合、当該移動端末に対してコンプレストモードを起動する無線基地局制御装置と、
前記無線基地局制御装置に接続され、無線電波で通信可能なセルを構成して前記移動端末と通信を行う無線基地局とを有する。
【００１３】
また、前記無線基地局制御装置は、前記移動端末のコンプレストモード起動のトリガーを検出した際に、前記起動中のコンプレストモード数が前記起動閾値以上である場合、コンプレストモード起動中の移動端末のうち当該移動端末における電波状況に基づく優先度よりも低い優先度の移動端末が存在するとき、前記低い優先度の移動端末のうち最も低い優先度の移動端末に対してコンプレストモードを停止することを特徴とする。
【００１４】
また、前記無線基地局制御装置は、前記コンプレストモードを停止した移動端末に対して、ハンドオーバーさせることを特徴とする。
【００１５】
また、移動体通信システムにおける移動端末に対してコンプレストモードを起動する無線基地局制御装置であって、
前記移動端末に対するコンプレストモード起動のトリガーを検出した際に、起動中のコンプレストモード数と予め設定された起動閾値とを比較し、前記起動中のコンプレストモード数が前記起動閾値よりも小さな場合、当該移動端末に対してコンプレストモードを起動する。
【００１６】
また、前記移動端末のコンプレストモード起動のトリガーを検出した際に、前記起動中のコンプレストモード数が前記起動閾値以上である場合、コンプレストモード起動中の移動端末のうち当該移動端末の電波状況に基づく優先度よりも低い優先度の移動端末が存在するとき、前記低い優先度の移動端末のうち最も低い優先度の移動端末に対してコンプレストモードを停止することを特徴とする。
【００１７】
また、前記コンプレストモードを停止した移動端末に対して、ハンドオーバーさせることを特徴とする。
【００１８】
また、移動体通信システムにおける移動端末に対してコンプレストモードを起動するコンプレストモード起動方法であって、
前記移動端末に対するコンプレストモード起動のトリガーを検出した際に、起動中のコンプレストモード数と予め設定された起動閾値とを比較する処理と、
前記起動中のコンプレストモード数が前記起動閾値よりも小さな場合、当該移動端末に対してコンプレストモードを起動する処理とを有する。
【００１９】
また、前記移動端末のコンプレストモード起動のトリガーを検出した際に、前記起動中のコンプレストモード数が前記起動閾値以上である場合、コンプレストモード起動中の移動端末のうち当該移動端末の電波状況に基づく優先度よりも低い優先度の移動端末が存在するとき、前記低い優先度の移動端末のうち最も低い優先度の移動端末に対してコンプレストモードを停止する処理を有する。
【００２０】
また、前記コンプレストモードを停止した移動端末に対して、ハンドオーバーさせる処理を有することを特徴とする。
【００２１】
上記のように構成された本発明においては、移動端末に対するコンプレストモード起動のトリガーが検出された際に、起動中のコンプレストモード数と予め設定された起動閾値とが比較され、起動中のコンプレストモード数が起動閾値よりも小さな場合のみ、当該移動端末に対してコンプレストモードを起動する。
【００２２】
これにより、コンプレストモード起動が要因となる他の信号との干渉が生じる可能性を低減することができ、各セルにおける通信品質を一定以上に維持することができる。
【発明の効果】
【００２３】
以上説明したように本発明においては、移動端末に対するコンプレストモード起動のトリガーを検出した際に、起動中のコンプレストモード数と予め設定された起動閾値とを比較し、起動中のコンプレストモード数が起動閾値よりも小さな場合のみ、当該移動端末に対してコンプレストモードを起動する構成としたため、他の信号との干渉による無線容量の低下を抑えることができる。
【発明を実施するための最良の形態】
【００２４】
以下に、本発明の実施の形態について図面を参照して説明する。
【００２５】
図１は、本発明の移動体通信システムの実施の一形態を示す図である。
【００２６】
本形態は図１に示すように、無線基地局制御装置１０１と、無線基地局１０２−１〜１０２−３とから構成されている。また、無線基地局１０２−１が無線電波で通信可能なエリアをセル１０３−１とし、また無線基地局１０２−２が無線電波で通信可能なエリアをセル１０３−２とし、また無線基地局１０２−３が無線電波で通信可能なエリアをセル１０３−３とする。また、セル１０３−１〜１０３−３の間を移動端末１０４が移動している。無線基地局制御装置１０１は、無線基地局１０２−１〜１０２−３を制御する。ここで、無線基地局１０２−１〜１０２−３の数を３つで示したが、特に数を制限せず、２つ、または３つ以上の複数でもかまわない。
【００２７】
図２は、図１に示した無線基地局制御装置１０１の第１の構成例を示すブロック図である。
【００２８】
図２に示すように無線基地局制御装置１０１には、通信部１１０と、比較部１１１と、カウンタ１１２と、記憶部１１３と、起動制御部１１４とが設けられている。
【００２９】
通信部１１０は、無線基地局１０２−１〜１０２−３との間にて通信を行う。
【００３０】
比較部１１１は、カウンタ１１２が示す値と、記憶部１１３に予め記憶されている閾値とを比較する。
【００３１】
カウンタ１１２は、コンプレストモードが起動しているリンク数を示すカウンタである。
【００３２】
記憶部１１３は、コンプレストモードが起動可能なリンク数の閾値を予め記憶する。
【００３３】
起動制御部１１４は、比較部１１１における比較結果に基づいて、無線基地局１０２−１〜１０２−３を介して移動端末１０４に対するコンプレストモードの起動を制御する。
【００３４】
なお、図２に示した構成は、本発明に関わる構成要素のみを示したものである。
【００３５】
以下に、図１に示した移動体通信システムに設けられた図２に示した無線基地局制御装置１０１におけるコンプレストモード起動方法について説明する。
【００３６】
図３は、図１に示した移動体通信システムに設けられた図２に示した無線基地局制御装置１０１におけるコンプレストモード起動方法を説明するためのフローチャートである。
【００３７】
初期設定として、コンプレストモードが起動可能なリンク数を起動閾値（以下、ＭＡＸ＿ＣＭとする）として記憶部１１３に予め記憶させておく。
【００３８】
まず、無線基地局制御装置１０１にて移動端末１０４に対するコンプレストモード起動のトリガーが検出されると（ステップＳ１）、カウンタ１１２にて現在示される値と、記憶部１１３に予め記憶されているＭＡＸ＿ＣＭとが、比較部１１１にて比較される。ここでのステップＳ１の検出処理は、従来の処理と同様であり、移動端末１０４にて使用されている周波数の品質が劣化した旨の通知が移動端末１０４から無線基地局制御装置１０１へ送信され、その通知が無線基地局制御装置１０１にて受信されたことや、呼確立時が検出されたこと等がトリガーとなる。また、カウンタ１１２は、移動端末１０４から無線基地局制御装置１０１への上り方向（Ｕｐｌｉｎｋ）におけるコンプレストモード起動のリンク数（以下、ＣＭ＿ＵＬとする）を管理するものと、無線基地局制御装置１０１から移動端末１０４への下り方向（Ｄｏｗｎｌｉｎｋ）におけるコンプレストモード起動のリンク数（以下、ＣＭ＿ＤＬとする）を管理するものとを別個に設けるものが望ましい。それは、コンプレストモード起動時、上り方向のみの起動を必要とする移動端末や、下り方向のみの起動を必要とする移動端末が存在し、上り方向におけるコンプレストモード起動中の移動端末数と下り方向におけるコンプレストモード起動中の移動端末数とが必ずしも一致しているとは限らないからである。
【００３９】
ＣＭ＿ＵＬとＭＡＸ＿ＣＭとの比較と、ＣＭ＿ＤＬとＭＡＸ＿ＣＭとの比較とが比較部１１１にて行われるが、どちらの比較が先に行われてもかまわない。ここでは、ＣＭ＿ＵＬとＭＡＸ＿ＣＭとが先に比較される場合を例に挙げて説明する。
【００４０】
ＣＭ＿ＵＬとＭＡＸ＿ＣＭとが比較部１１１にて比較され（ステップＳ２）、ＣＭ＿ＵＬがＭＡＸ＿ＣＭよりも小さくはないと判断されると、コンプレストモードは起動されずに処理は終了する。つまり、これ以上コンプレストモードを起動するリンク数が増えると、コンプレストモード起動中のリンク数がコンプレストモードが起動可能なリンク数を超えてしまうため、コンプレストモードを新たに起動することを回避するのである。
【００４１】
ステップＳ２にて、ＣＭ＿ＵＬがＭＡＸ＿ＣＭよりも小さいと判断されると、ＣＭ＿ＤＬとＭＡＸ＿ＣＭとが比較部１１１にて比較される（ステップＳ３）。ＣＭ＿ＤＬがＭＡＸ＿ＣＭよりも小さくはないと判断されると、コンプレストモードは起動されずに処理は終了する。つまり、ＣＭ＿ＵＬとＭＡＸ＿ＣＭとの比較と同様に、これ以上コンプレストモードを起動するリンク数が増えると、コンプレストモード起動中のリンク数がコンプレストモードが起動可能なリンク数を超えてしまうため、コンプレストモードを新たに起動することを回避するのである。
【００４２】
ステップＳ３にて、ＣＭ＿ＤＬがＭＡＸ＿ＣＭよりも小さいと判断されると、カウンタ１１２の値が１つインクリメントされ（ステップＳ４）、起動制御部１１４から通信部１１０を介して移動端末１０４へコンプレストモードが起動される（ステップＳ５）。つまり、コンプレストモードが起動可能なリンク数にまだ余裕がある場合、コンプレストモードを新たに起動することを許容するのである。
【００４３】
上述した処理が行われる一方で、無線基地局制御装置１０１にて移動端末１０４に対するコンプレストモード停止のトリガーが検出されると、カウンタ１１２の値が１つデクリメントされる。コンプレストモード停止のトリガーの検出処理については、従来の処理と同様である。
【００４４】
また、無線基地局制御装置１０１にてコンプレストモード起動中の移動端末１０４に対して、ソフトハンドオーバの起動トリガーが検出された場合、コンプレストモード起動中のリンクにおける移動端末１０４のActive set cellが更新されるため、ＣＭ＿ＵＬ及びＣＭ＿ＤＬが更新される必要がある。このとき、移動端末１０４のActive set cellからセルが削除される場合は、コンプレストモード起動中のリンクに対して、ＣＭ＿ＵＬ及びＣＭ＿ＤＬの値を減少させる。一方、移動端末１０４のActive set cellにセルが追加される場合は、コンプレストモード起動中のリンクに対して、ＣＭ＿ＵＬ及びＣＭ＿ＤＬの値を増加させる。ここで、新たなセルがActive set cellに追加される場合、ＣＭ＿ＵＬまたはＣＭ＿ＤＬの値がＭＡＸ＿ＣＭを超えてしまうことも考えられるが、この場合は起動中のコンプレストモードを停止することはしない。それは、ＵＭＴＳ網においてソフトハンドオーバは頻繁に起こるため、そのたびにコンプレストモードを停止させるためのメッセージを送信することは、トラフィックの観点から好ましくないからである。
【００４５】
このように、他の信号との干渉が生じる虞があるコンプレストモード起動のリンク数が閾値として予め設定され、設定された閾値よりも現在のコンプレストモード起動のリンク数が小さな場合のみ、新たにコンプレストモードが起動されるため、コンプレストモード起動が要因となる他の信号との干渉が生じる可能性を低減することができ、各セルにおける通信品質を一定以上に維持することができる。
【００４６】
図４は、図１に示した無線基地局制御装置１０１の第２の構成例を示すブロック図である。
【００４７】
図４に示した無線基地局制御装置１０１には、図２に示した第１の構成に伝搬遅延時間取得部１１５が追加されている。
【００４８】
伝搬遅延時間取得部１１５は、無線基地局１０２−１〜１０２−３にて測定される無線基地局１０２−１〜１０２−３と移動端末１０４との間の伝搬遅延時間を無線基地局１０２−１〜１０２−３から通信部１１０を介して取得する。
【００４９】
以下に、図１に示した移動体通信システムに設けられた図４に示した無線基地局制御装置１０１におけるコンプレストモード起動方法について説明する。
【００５０】
図５は、図１に示した移動体通信システムに設けられた図４に示した無線基地局制御装置１０１におけるコンプレストモード起動方法を説明するためのフローチャートである。
【００５１】
初期設定として、コンプレストモードが起動可能なリンク数を起動閾値（以下、ＭＡＸ＿ＣＭとする）として記憶部１１３に予め記憶させておく。
【００５２】
まず、無線基地局制御装置１０１にて移動端末１０４に対するコンプレストモード起動のトリガーが検出されると（ステップＳ１１）、カウンタ１１２にて現在示される値と、記憶部１１３に予め記憶されているＭＡＸ＿ＣＭとが、比較部１１１にて比較される。ここでのステップＳ１１の検出処理は、図３のフローチャートを用いて説明した従来の検出処理と同様である。
【００５３】
その後、図３のフローチャートを用いて説明した処理と同様に、ＣＭ＿ＵＬとＭＡＸ＿ＣＭとの比較と、ＣＭ＿ＤＬとＭＡＸ＿ＣＭとの比較とが比較部１１１にて行われるが、どちらの比較が先に行われてもかまわない。ここでは、ＣＭ＿ＵＬとＭＡＸ＿ＣＭとが先に比較される場合を例に挙げて説明する。
【００５４】
ＣＭ＿ＵＬとＭＡＸ＿ＣＭとが比較部１１１にて比較され（ステップＳ１２）、ＣＭ＿ＵＬがＭＡＸ＿ＣＭよりも小さいと判断されると、ＣＭ＿ＤＬとＭＡＸ＿ＣＭとが比較部１１１にて比較される（ステップＳ１３）。
【００５５】
さらに、ＣＭ＿ＤＬがＭＡＸ＿ＣＭよりも小さいと判断されると、カウンタ１１２の現在の値が１つインクリメントされ（ステップＳ１４）、起動制御部１１４から通信部１１０を介して移動端末１０４へコンプレストモードが起動される（ステップＳ１５）。つまり、コンプレストモードが起動可能なリンク数にまだ余裕がある場合、コンプレストモードを新たに起動することを許容するのである。
【００５６】
一方、ステップＳ１２にてＣＭ＿ＵＬがＭＡＸ＿ＣＭよりも小さくはないと判断された場合、またはステップＳ１３にてＣＭ＿ＤＬがＭＡＸ＿ＣＭよりも小さくはないと判断された場合は、伝搬遅延時間取得部１１５によって、無線基地局１０２−１〜１０２−３にて測定される無線基地局１０２−１〜１０２−３と移動端末１０４との間の伝搬遅延時間が無線基地局１０２−１〜１０２−３から通信部１１０を介して取得される（ステップＳ１６）。
【００５７】
そして、取得された伝搬遅延時間と、記憶部１１３にすでに記憶されている他の移動端末の伝搬遅延時間とが起動制御部１１４にて比較される（ステップＳ１７）。
【００５８】
図６は、図４に示した記憶部１１３にすでに記憶されている他の移動端末の伝搬遅延時間を示す図である。
【００５９】
図４に示した記憶部１１３にすでに記憶されている他の移動端末の伝搬遅延時間は図６に示すように、伝搬遅延時間の長いものから順に並べられており、伝搬遅延時間の最も長いものが優先度が最も高く、伝搬遅延時間が短くなるに従って優先度が低く設定されている。これらは、無線基地局制御装置１０１によるコンプレストモード起動後、取得された伝搬遅延時間のうち、長いものから５つが記憶されている。例えば、伝搬遅延時間が最長の「５００ｍｓ」である端末番号「０９０−１１１１−２２２２」である移動端末が最も優先度の高い優先度「１」として記憶されている。また、伝搬遅延時間が２番目に長い「４５０ｍｓ」である端末番号「０９０−２２２２−３３３３」である移動端末が２番目に優先度の高い優先度「２」として記憶されている。また、伝搬遅延時間が３番目に長い「４２０ｍｓ」である端末番号「０９０−３３３３−４４４４」である移動端末が３番目に優先度の高い優先度「３」として記憶されている。また、伝搬遅延時間が４番目に長い「４００ｍｓ」である端末番号「０９０−４４４４−５５５５」である移動端末が４番目に優先度の高い優先度「４」として記憶されている。また、伝搬遅延時間が５番目に長い「３６０ｍｓ」である端末番号「０９０−５５５５−６６６６」である移動端末が５番目に優先度の高い優先度「５」として記憶されている。なお、図６に示した記憶部１１３内構造では、５つの移動端末が記憶される構造になっているが、その数はここでは特に限定しない。
【００６０】
そして、例えば、伝搬遅延時間取得部１１５によって取得された伝搬遅延時間が「３９０ｍｓ」である場合、図６に示した優先度が「５」である伝搬遅延時間「３６０ｍｓ」よりも長いため、伝搬遅延時間「３９０ｍｓ」が移動端末番号と共に優先度「５」として登録されることにより記憶部１１３に記憶される（ステップＳ１８）。すると、従来優先度「５」であった記憶されている伝搬遅延時間の中で最短の伝搬遅延時間「３６０ｍｓ」は削除される（ステップＳ１９）。そして、その削除された伝搬遅延時間の移動端末に対してコンプレストモードが停止される（ステップＳ２０）。
【００６１】
その後、取得された伝搬遅延時間が「３９０ｍｓ」である移動端末１０４へコンプレストモードが起動される（ステップＳ１５）。
【００６２】
一方、ステップＳ１７にて、取得された伝搬遅延時間が、記憶部１１３にすでに記憶されている他の移動端末の伝搬遅延時間のいずれよりも短い場合、移動端末１０４へのコンプレストモードの起動は行われずに、処理が終了する。
【００６３】
なお、図６に示した伝播遅延時間の値は、説明の便宜上の値であり、実際の測定値とは異なるものである。
【００６４】
またここでは、移動端末の優先度として、伝搬遅延時間の最も長いものが優先度が最も高く、伝搬遅延時間が短くなるに従って優先度が低く設定されている場合を例に挙げて説明したが、伝搬遅延時間の最も短いものが優先度が最も高く、伝搬遅延時間が長くなるに従って優先度が低く設定されるものであっても良い。
【００６５】
また、伝搬遅延時間に閾値を設け、伝搬遅延時間取得部１１５によって取得された伝搬遅延時間が当該閾値よりも長い場合のみ優先度が所定以上と判断し、取得された伝搬遅延時間の移動端末へコンプレストモードを起動するものであっても良い。また、伝搬遅延時間取得部１１５によって取得された伝搬遅延時間が当該閾値よりも短い場合のみ優先度が所定以上と判断し、取得された伝搬遅延時間の移動端末へコンプレストモードを起動するものであっても良い。つまり、移動端末の優先度が所定の閾値以上であると判断された場合、当該移動端末へコンプレストモードを起動するものであっても良い。この場合、現在コンプレストモードが起動中の移動端末の中で、優先度の最も低い移動端末に対してコンプレストモードの起動を停止するものであっても良い。
【００６６】
このように、伝搬遅延時間が取得され、取得された伝搬遅延時間が移動端末へのコンプレストモード起動の優先度として使用されることにより、優先度の高い移動端末へのみコンプレストモードを起動することが可能となる。
【００６７】
また、移動端末の優先度として移動端末の受信電界強度を使用するものも考えられる。
【００６８】
図７は、図１に示した無線基地局制御装置１０１の第３の構成例を示すブロック図である。
【００６９】
図７に示した無線基地局制御装置１０１は、図４に示した第２の構成例における伝搬遅延時間取得部１１５が電界強度取得部１１６に置き換えられている。
【００７０】
電界強度取得部１１６は、移動端末１０４における信号の受信電界強度を無線基地局１０２−１〜１０２−３から通信部１１０を介して取得する。
【００７１】
以下に、図１に示した移動体通信システムに設けられた図７に示した無線基地局制御装置１０１におけるコンプレストモード起動方法について説明する。
【００７２】
図８は、図１に示した移動体通信システムに設けられた図７に示した無線基地局制御装置１０１におけるコンプレストモード起動方法を説明するためのフローチャートである。
【００７３】
初期設定として、コンプレストモードが起動可能なリンク数を起動閾値（ＭＡＸ＿ＣＭ）として記憶部１１３に予め記憶させておく。
【００７４】
まず、無線基地局制御装置１０１にて移動端末１０４に対するコンプレストモード起動のトリガーが検出されると（ステップＳ２１）、カウンタ１１２にて現在示される値と、記憶部１１３に予め記憶されているＭＡＸ＿ＣＭとが、比較部１１１にて比較される。ここでのステップＳ２１の検出処理は、図３のフローチャートを用いて説明した従来の検出処理と同様である。
【００７５】
その後、図３のフローチャートを用いて説明した処理と同様に、ＣＭ＿ＵＬとＭＡＸ＿ＣＭとの比較と、ＣＭ＿ＤＬとＭＡＸ＿ＣＭとの比較とが比較部１１１にて行われるが、どちらの比較が先に行われてもかまわない。ここでは、ＣＭ＿ＵＬとＭＡＸ＿ＣＭとが先に比較される場合を例に挙げて説明する。
【００７６】
ＣＭ＿ＵＬとＭＡＸ＿ＣＭとが比較部１１１にて比較され（ステップＳ２２）、ＣＭ＿ＵＬがＭＡＸ＿ＣＭよりも小さいと判断されると、ＣＭ＿ＤＬとＭＡＸ＿ＣＭとが比較部１１１にて比較される（ステップＳ２３）。
【００７７】
さらに、ＣＭ＿ＤＬがＭＡＸ＿ＣＭよりも小さいと判断されると、カウンタ１１２の現在の値が１つインクリメントされ（ステップＳ２４）、起動制御部１１４から通信部１１０を介して移動端末１０４へコンプレストモードが起動される（ステップＳ２５）。つまり、コンプレストモードが起動可能なリンク数にまだ余裕がある場合、コンプレストモードを新たに起動することを許容するのである。
【００７８】
一方、ステップＳ２２にてＣＭ＿ＵＬがＭＡＸ＿ＣＭよりも小さくはないと判断された場合、またはステップＳ２３にてＣＭ＿ＤＬがＭＡＸ＿ＣＭよりも小さくはないと判断された場合は、電界強度取得部１１６によって、移動端末１０４にて受信される信号の受信電界強度が無線基地局１０２−１〜１０２−３から通信部１１０を介して取得される（ステップＳ２６）。
【００７９】
そして、取得された受信電界強度と、記憶部１１３にすでに記憶されている他の移動端末の受信電界強度とが起動制御部１１４にて比較される（ステップＳ２７）。
【００８０】
図９は、図４に示した記憶部１１３にすでに記憶されている他の移動端末の受信電界強度を示す図である。
【００８１】
図４に示した記憶部１１３にすでに記憶されている他の移動端末の受信電界強度は図９に示すように、受信電界強度の弱いものから順に並べられており、受信電界強度の最も弱いものが優先度が最も高く、受信電界強度が強くなるに従って優先度が低く設定されている。これらは、無線基地局制御装置１０１によるコンプレストモード起動後、取得された受信電界強度のうち、弱いものから５つが記憶されている。例えば、受信電界強度が最も弱い「１２」である端末番号「０９０−１１１１−００００」である移動端末が最も優先度の高い優先度「１」として記憶されている。また、受信電界強度が２番目に弱い「１５」である端末番号「０９０−２２２２−１１１１」である移動端末が２番目に優先度の高い優先度「２」として記憶されている。また、受信電界強度が３番目に弱い「２０」である端末番号「０９０−３３３３−２２２２」である移動端末が３番目に優先度の高い優先度「３」として記憶されている。また、受信電界強度が４番目に弱い「２１」である端末番号「０９０−４４４４−３３３３」である移動端末が４番目に優先度の高い優先度「４」として記憶されている。また、受信電界強度が５番目に弱い「２３」である端末番号「０９０−５５５５−４４４４」である移動端末が５番目に優先度の高い優先度「５」として記憶されている。なお、図９に示した記憶部１１３内構造では、５つの移動端末が記憶される構造になっているが、その数はここでは特に限定しない。
【００８２】
そして、例えば、電界強度取得部１１６によって取得された受信電界強度が「２２」である場合、図６に示した優先度が「５」である受信電界強度「２３」よりも弱いため、受信電界強度「２２」が移動端末番号と共に優先度「５」として登録されることにより記憶部１１３に記憶される（ステップＳ２８）。すると、従来優先度「５」であった記憶されている受信電界強度の中で最も強い受信電界強度「２３」は削除される（ステップＳ２９）。そして、その削除された受信電界強度の移動端末に対してコンプレストモードが停止される（ステップＳ３０）。
【００８３】
その後、取得された受信電界強度が「２２」である移動端末１０４へコンプレストモードが起動される（ステップＳ２５）。
【００８４】
一方、ステップＳ２７にて、取得された受信電界強度が、記憶部１１３にすでに記憶されている他の移動端末の受信電界強度のいずれよりも強い場合、移動端末１０４へのコンプレストモードの起動は行われずに、処理が終了する。
【００８５】
なお、図９に示した受信電界強度の値は、説明の便宜上の値であり、実際の測定値とは異なるものである。
【００８６】
またここでは、移動端末の優先度として、受信電界強度の最も弱いものが優先度が最も高く、受信電界強度が強くなるに従って優先度が低く設定されている場合を例に挙げて説明したが、受信電界強度の最も強いものが優先度が最も高く、受信電界強度が弱くなるに従って優先度が低く設定されるものであっても良い。
【００８７】
また、受信電界強度に閾値を設け、電界強度取得部１１６によって取得された受信電界強度が当該閾値よりも弱い場合のみ優先度が所定以上と判断し、取得された受信電界強度の移動端末へコンプレストモードを起動するものであっても良い。また、電界強度取得部１１６によって取得された受信電界強度が当該閾値よりも強い場合のみ優先度が所定以上と判断し、取得された受信電界強度の移動端末へコンプレストモードを起動するものであっても良い。つまり、移動端末の優先度が所定の閾値以上であると判断された場合のみ、当該移動端末へコンプレストモードを起動するものであっても良い。この場合、現在コンプレストモードが起動中の移動端末の中で優先度の最も低い移動端末に対してコンプレストモードの起動を停止するものであっても良い。
【００８８】
このように、受信電界強度が取得され、取得された受信電界強度が移動端末へのコンプレストモード起動の優先度として使用されることにより、優先度の高い移動端末へのみコンプレストモードを起動することが可能となる。
【００８９】
以上、移動端末に対してコンプレストモードを起動する基準として用いる優先度を、当該移動端末の電波状況を示す伝搬遅延時間を用いた場合、及び受信電界強度を用いた場合を例に挙げて説明したが、移動端末の優先順位を識別できるものであれば他のものを用いても良い。例えば、移動端末固有の識別番号（電話番号等）を用いて優先度を予め設定しておき、設定された優先度に基づいて上述した処理が行われるものであってもかまわない。
【００９０】
また、上述した優先度によるコンプレストモードの起動にて、コンプレストモード起動中の移動端末の中で優先度の低い移動端末について、コンプレストモードを停止させ、強制的にハンドオーバーさせる方法も考えられる。
【００９１】
図１０は、コンプレストモード起動中の移動端末の中で優先度の低い移動端末について、コンプレストモードを停止させ、強制的にハンドオーバーさせる方法を説明するためのフローチャートである。
【００９２】
初期設定として、コンプレストモードが起動可能なリンク数を起動閾値（ＭＡＸ＿ＣＭ）として記憶部１１３に予め記憶させておく。
【００９３】
まず、無線基地局制御装置１０１にて移動端末１０４に対するコンプレストモード起動のトリガーが検出されると（ステップＳ３１）、カウンタ１１２にて現在示される値と、記憶部１１３に予め記憶されているＭＡＸ＿ＣＭとが、比較部１１１にて比較される。ここでのステップＳ３１の検出処理は、図３のフローチャートを用いて説明した従来の検出処理と同様である。
【００９４】
その後、図３のフローチャートを用いて説明した処理と同様に、ＣＭ＿ＵＬとＭＡＸ＿ＣＭとの比較と、ＣＭ＿ＤＬとＭＡＸ＿ＣＭとの比較とが比較部１１１にて行われるが、どちらの比較が先に行われてもかまわない。ここでは、ＣＭ＿ＵＬとＭＡＸ＿ＣＭとが先に比較される場合を例に挙げて説明する。
【００９５】
ＣＭ＿ＵＬとＭＡＸ＿ＣＭとが比較部１１１にて比較され（ステップＳ３２）、ＣＭ＿ＵＬがＭＡＸ＿ＣＭよりも小さいと判断されると、ＣＭ＿ＤＬとＭＡＸ＿ＣＭとが比較部１１１にて比較される（ステップＳ３３）。
【００９６】
さらに、ＣＭ＿ＤＬがＭＡＸ＿ＣＭよりも小さいと判断されると、カウンタ１１２の値が１つインクリメントされ（ステップＳ３４）、起動制御部１１４から通信部１１０を介して移動端末１０４へコンプレストモードが起動される（ステップＳ３５）。つまり、コンプレストモードが起動可能なリンク数にまだ余裕がある場合、コンプレストモードを新たに起動することを許容するのである。
【００９７】
一方、ステップＳ３２にてＣＭ＿ＵＬがＭＡＸ＿ＣＭよりも小さくはないと判断された場合、またはステップＳ３３にてＣＭ＿ＤＬがＭＡＸ＿ＣＭよりも小さくはないと判断された場合は、コンプレストモードが現在起動中である移動端末の中で当該移動端末よりも優先度が低く、且つハンドオーバー可能な移動端末があるかどうかが判断される（ステップＳ３６）。なお、ハンドオーバーが可能な電波状況下にある移動端末を検索する方法については、従来の方法と同様であるため、ここでは詳細は記述しない。また、この優先度は、上述した移動端末の優先度と同様である。
【００９８】
コンプレストモードが現在起動中である移動端末の中で当該移動端末よりも優先度が低く、且つハンドオーバー可能な移動端末がないと判断された場合、移動端末１０４へのコンプレストモードの起動は行われずに、処理が終了する。
【００９９】
一方、コンプレストモードが現在起動中である移動端末の中で移動端末１０４よりも優先度が低く、且つハンドオーバー可能な移動端末があると判断された場合は、移動端末１０４が登録され（ステップＳ３７）、移動端末１０４よりも優先度が低く、且つハンドオーバー可能な移動端末がコンプレストモードが現在起動中の移動端末の中から削除される（ステップＳ３８）。そして、移動端末１０４よりも優先度が低く、且つハンドオーバー可能な移動端末に対してコンプレストモードを停止し（ステップＳ３９）、この移動端末を強制的にハンドオーバーさせる（ステップＳ４０）。その後、起動制御部１１４から通信部１１０を介して移動端末１０４へコンプレストモードが起動される（ステップＳ３５）。
【０１００】
なお、上述した処理において、コンプレストモードを必要とするイベントの１つまたはいくつかのイベントに対してのみコンプレストモード起動数を管理するものであっても良い。
【図面の簡単な説明】
【０１０１】
【図１】本発明の移動体通信システムの実施の一形態を示す図である。
【図２】図１に示した無線基地局制御装置の第１の構成例を示すブロック図である。
【図３】図１に示した移動体通信システムに設けられた図２に示した無線基地局制御装置におけるコンプレストモード起動方法を説明するためのフローチャートである。
【図４】図１に示した無線基地局制御装置の第２の構成例を示すブロック図である。
【図５】図１に示した移動体通信システムに設けられた図４に示した無線基地局制御装置におけるコンプレストモード起動方法を説明するためのフローチャートである。
【図６】図４に示した記憶部にすでに記憶されている他の移動端末の伝搬遅延時間を示す図である。
【図７】図１に示した無線基地局制御装置の第３の構成例を示すブロック図である。
【図８】図１に示した移動体通信システムに設けられた図７に示した無線基地局制御装置におけるコンプレストモード起動方法を説明するためのフローチャートである。
【図９】図４に示した記憶部にすでに記憶されている他の移動端末の受信電界強度を示す図である。
【図１０】コンプレストモード起動中の移動端末の中で優先度の低い移動端末について、コンプレストモードを停止させ、強制的にハンドオーバーさせる方法を説明するためのフローチャートである。
【図１１】従来の移動体通信システムの形態の一例を示す図である。
【符号の説明】
【０１０２】
１０１    無線基地局制御装置
１０２−１〜１０２−３    無線基地局
１０３−１〜１０３−３    セル
１０４    移動端末
１１０    通信部
１１１    比較部
１１２    カウンタ
１１３    記憶部
１１４    起動制御部
１１５    伝搬遅延時間取得部
１１６    電界強度取得部
【図１】
2008098848.tif 000003
【図２】
2008098848.tif 000004
【図３】
2008098848.tif 000005
【図４】
2008098848.tif 000006
【図５】
2008098848.tif 000007
【図６】
2008098848.tif 000008
【図７】
2008098848.tif 000009
【図８】
2008098848.tif 000010
【図９】
2008098848.tif 000011
【図１０】
2008098848.tif 000012
【図１１】
2008098848.tif 000013